(57)【要約】      （修正有）【課題】簡単な構造で収納箱に収納されたパチンコの特殊景品の正確な数量を容易に計数できる特殊景品計数補助具を提供する。【解決手段】底辺が短く上辺が長い台形板２つを側面として、台形板の２つの上辺を含む面を開口部とし、開口部以外の側面を使って板状に形成した特殊景品収納部と、特殊景品を所定枚数ごとに収納するための仕切りとを有した収納箱において、特殊景品収納部に挿入可能な板形状で、挿入したとき仕切りに接する部位に切り欠き２を設けた特殊景品計数補助具１である。【選択図】図１
0003214635.tif 000002
【実用新案登録請求の範囲】
【請求項１】
パチンコの特殊景品を収納するための収納箱であって、底辺が短く、上辺が長い２つの台形板を側面とした６面体であって、前記６面体の前記台形板の２つの上辺を含む面を開口部、前記開口部以外に前記側面を使って形成できる面を板状に塞いで形成した特殊景品収納部と、前記特殊景品を所定枚数ごとに収納するための仕切りとを有した収納箱において、
前記収納箱の特殊景品収納部に挿入可能な板形状で、挿入したとき前記仕切りに接する部位に切り欠きを設けたことを特徴とする特殊景品計数補助具。
【請求項２】
請求項１記載の特殊景品計数補助具の厚みが、前記台形板上辺と下辺の長さの差の半分以下であることを特徴とする特殊景品計数補助具。
【考案の詳細な説明】
【技術分野】
【０００１】  本発明はパチンコにおける特殊景品を計数するための特殊景品計数補助具に関する。
【背景技術】
【０００２】  従来、パチンコにおける特殊景品を計数するには、収納箱に収納された特殊景品を目視により計数するようになっていた。
【考案の概要】
【考案が解決しようとする課題】
【０００３】  特殊景品の収納箱は所定枚数ごとに収納する仕切りを有し、特殊景品の出し入れを容易にするために、開口部が底面より広く形成されており、仕切り部位内に特殊景品を所定枚数収納箱に収めても、特殊景品が仕切り部位内に密接整列せず、例えば特殊景品の枚数が本来収納すべき所定枚数より１枚少なくても、目視で確認することが非常に困難で数量確認に時間を要したり、誤計数するという課題がある。【０００４】  本考案はこのような課題に鑑みてなされたものであり、簡単な構造で収納箱に収納された特殊景品の正確な数量を容易に計数できる特殊景品計数補助具を提供することを目的とする。
【課題を解決するための手段】
【０００５】  上記課題を解決するため、本考案に係る特殊景品計数補助具は、底辺が短く、上辺が長い２つの台形板を側面とした６面体であって、前記６面体の前記台形板の２つの上辺を含む面を開口部、前記開口部以外に前記側面を使って形成できる面を板状に塞いで形成した特殊景品収納部と、前記特殊景品を所定枚数ごとに収納するための仕切りとを有した収納箱において、前記収納箱の特殊景品収納部に挿入可能な板形状で、挿入したとき前記仕切りに接する部位に切り欠きを設けるようになっている。【０００６】  また、本考案に係る特殊景品計数補助具は、特殊景品計数補助具の厚みが、前記台形板上辺と下辺の長さの差の半分以下となっている。
【考案の効果】
【０００７】  本考案の特殊景品計数補助具は、底辺が短く、上辺が長い２つの台形板を側面とした６面体であって、前記６面体の前記台形板の２つの上辺を含む面を開口部、前記開口部以外に前記側面を使って形成できる面を板状に塞いで形成した特殊景品収納部と、前記特殊景品を所定枚数ごとに収納するための仕切りとを有した収納箱において、前記収納箱の特殊景品収納部に挿入可能な板形状で、挿入したとき前記仕切りに接する部位に切り欠きを設けるようになっている。
また、本考案に係る特殊景品計数補助具は、特殊景品計数補助具の厚みが、前記台形板上辺と下辺の長さの差の半分以下となっている。このような構造になっているので、本考案の特殊景品計数補助具を特殊景品が収納された収納箱に挿入することにより、特殊景品が隙間なく整列するために容易に計数できるという利点がある。
【図面の簡単な説明】
【０００８】
【図１】本考案の１実施形態に係る特殊景品計数補助具の斜視図である。
【図２】本考案の１実施形態に係る特殊景品収納箱の斜視図である。
【図３】従来の特殊京浜収納箱の計数方法を示す図である。
【図４】本考案の１実施形態に係る特殊景品計数補助具の１つの使用状態を示す図である。
【図５】本考案の１実施形態に係る特殊景品計数補助具を２つ目の使用状態を示す図である。
【図６】本考案の１実施形態に係る特殊景品の斜視図である。
【考案を実施するための形態】
【０００９】  以下、本考案の実施の形態について、図面を参照して説明する。図１は本考案の１実施形態に係る特殊景品計数補助具の斜視図で、図２は本考案の１実施形態に係る特殊景品収納箱の斜視図、図３は従来の特殊京浜収納箱の計数方法を示す図、図４は本考案の１実施形態に係る特殊景品計数補助具の１つの使用状態を示す図、図５は本考案の１実施形態に係る特殊景品計数補助具を２つ目の使用状態を示す図、図６は本考案の１実施形態に係る特殊景品の斜視図である。
【００１０】  図１に示すように本考案の１実施形態の特殊景品計数補助具１は、平板の一部に１つ以上の切り欠き２を有しており、その切り欠き２は、図２に示す本考案の１実施形態に係る特殊景品収納箱１０に特殊景品補助具を挿入したとき、特殊景品収納箱１０の仕切り１４の位置に相当する箇所に設けられている。図１では切り欠きをコの字状の形状としているが、これはＶ字状、Ｕ字状の他でもよく、特殊景品計数補助具１の下面３より、特殊景品計数補助具の幅が一部狭くなればよい。また、本考案の１実施形態の特殊景品計数補助具はその厚みが、前記台形板上辺１２と下辺１３の長さの差の半分以下となっている。この特殊景品計数補助具の厚さは一様であっても、切り欠きのない部位から切り欠きのある部位の方向に漸小になる形状でもよい。
【００１１】  図６は本考案の１実施形態に係る特殊景品５０の斜視図で、特殊景品は板状の直方体で、特殊景品を計数するために図２に示す本考案の１実施形態に係る特殊景品収納箱１０が利用される。図２の特殊景品収納箱１０は台形状の側面１１の平行な２辺のうち、長い辺を上辺１２、短い方を底辺１３として、２つの側面１１の２つの上辺１２を含む面を開口部とし、開口部以外の３面を板状に覆い箱形状とし、内部に特殊景品を所定枚数ごと収納するための仕切り１４を設け、特殊景品収納部１５を形成している。
【００１２】  特殊景品５０は特殊景品側面５１を特殊景品収納箱の側面１１に直交する方向に挿入され並べられる。しかし、特殊景品収納箱は特殊景品を出し入れしやすくできるように、その側面１１が台形状に形成されているために、特殊景品を所定枚数特殊景品収納部に収納しても、特殊景品が収納部に密着整列することはなく、例えば図３に示すように目視で確認することが非常に困難で数量確認に時間を要したり、誤計数するという課題があった。
【００１３】  図４は本考案の１実施形態に係る特殊景品計数補助具の１つの使用状態を示す図で、図５は本考案の１実施形態に係る特殊景品計数補助具を２つ目の使用状態を示す図である。図４、および図５では特殊景品収納箱１０に特殊景品５０を収納した後に、本考案の１実施形態に係る特殊景品計数補助具を挿入している。図４は特殊景品収納箱に所定枚数の特殊製品が挿入されている状態で、本考案の特殊景品計数補助具を挿入することにより、特殊景品が特殊景品収納箱内で密着整列され、計数を容易にしている。図５は特殊景品収納箱に所定枚数の特殊製品が挿入されていない状態で、本考案の特殊景品計数補助具を挿入した結果を示すもので、特殊景品が特殊景品収納箱内で密着整列された結果、本来あるべきはずの位置に特殊景品が欠損しているため、特殊景品の欠損部６０が際立ち、目視で簡単に特殊景品の枚数不足が認識できる。
【００１４】  以上説明したように、本考案の特殊景品計数補助具を用いることで、特殊景品収納箱の特殊景品が所定枚数収納されているかどうかの判断が簡単にできる。
【符号の説明】  １・・特殊景品計数補助具
２・・切り欠き
３・・下面
１０・・特殊景品収納箱
１１・・側面
１２・・上辺
１３・・下辺
１４・・仕切り
１５・・特殊景品収納部
５０・・特殊景品
５１・・特殊景品側面
６０・・特殊景品欠損部
【図１】
0003214635.tif 000003
【図２】
0003214635.tif 000004
【図３】
0003214635.tif 000005
【図４】
0003214635.tif 000006
【図５】
0003214635.tif 000007
【図６】
0003214635.tif 000008